(57)【要約】【課題】太陽光の照射を受ける透明部材に関し、透明部材の立地および方位に応じて、太陽光を、夏場は冷房負荷を軽減するまで十分に遮り、冬場は暖房負荷を軽減するまで十分に取り込む。【解決手段】屋外側の面１ａおよび屋内側の面１ｂの両面に間隔をあけて複数設けられたものであって、近赤外線を遮蔽する能力が相対的に高い高遮蔽枡目部１２１と、その間隔を覆うように設けられ、上記能力が相対的に低い低遮蔽枡目部１３１とを有し、高遮蔽枡目部１２１および低遮蔽枡目部１３１は、互いの１辺１２１１，１３１１の少なくとも一部が重なり合った四角形状であり、１辺１２１１，１３１１が水平線に対し傾いている。【選択図】      図９
2010222891.tif 000002
【特許請求の範囲】
【請求項１】
太陽光の照射を受ける透明部材において、
屋外側の面および屋内側の面の両面に間隔をあけて複数設けられたものであって、近赤外線を遮蔽する能力が相対的に高い高遮蔽枡目部と、
前記間隔を覆うように設けられ、前記能力が相対的に低い低遮蔽枡目部とを有し、
前記高遮蔽枡目部および前記低遮蔽枡目部は、互いの１辺の少なくとも一部が重なり合った四角形状であり、該１辺が水平線に対し傾いているものであることを特徴とする透明部材。
【請求項２】
前記高遮蔽枡目部および前記低遮蔽枡目部は、主成分が同じものであることを特徴とする請求項１記載の透明部材。
【請求項３】
太陽光の照射を受ける透明部材において、
屋外側の面および屋内側の面の両面に、間隔をあけて斜めに複数配列されたものであって、近赤外線を遮蔽する能力が相対的に高い高遮蔽枡目部と、
前記間隔を覆うように設けられ、前記能力が相対的に低い低遮蔽部とを有することを特徴とする透明部材。
【請求項４】
前記高遮蔽枡目部および前記低遮蔽部は、主成分が同じものであることを特徴とする請求項３記載の透明部材。
【請求項５】
前記高遮蔽枡目部が設けられた領域を取り囲む外周部が、該高遮蔽枡目部よりも前記能力が相対的に低いものであることを特徴とする請求項１又は３記載の透明部材。
【発明の詳細な説明】
【技術分野】
【０００１】
本発明は、太陽光の照射を受ける透明部材に関する。
【背景技術】
【０００２】
太陽光の照射を受ける透明部材として、ガラス製のものやアクリル製のもの等が知られている。ここでは、窓ガラスを例にあげて説明を行う。
【０００３】
従来では、視線制御を主目的にして、窓ガラスに、不透明なストライプを水平に、垂直方向に間隔をあけて複数設けることが提案されている（例えば、特許文献１等参照）。
【先行技術文献】
【特許文献】
【０００４】
【特許文献１】登録実用新案第３１２１３５６号公報
【発明の開示】
【発明が解決しようとする課題】
【０００５】
ところで、省エネルギの観点から、夏場には太陽光を遮って室内の温度上昇を抑え、夏場の冷房負荷を軽減し、冬場には太陽光を室内に取り込み、その取り込んだ太陽光によって室内を暖め、冬場の暖房負荷を軽減させる。といったことが望まれる。特許文献１に記載された窓ガラスでは、上述のごとく、視線制御を主目的にしており、省エネルギの観点からの検討が乏しいが、本発明者による検討では、真南向きの窓に設置された場合に限って、特許文献１に記載された窓ガラスであっても省エネルギの効果を発揮するものと思われる。しかしながら、特許文献１に記載された窓ガラスでは、真南向き以外の方位については、省エネルギの効果を発揮することができない。さらに、特許文献１では、窓ガラスの立地（緯度）については何ら検討されていない。
【０００６】
本発明は上記事情に鑑み、透明部材の立地および方位に応じて、太陽光を、夏場は冷房負荷を軽減するまで十分に遮り、冬場は暖房負荷を軽減するまで十分に取り込める透明部材を提供することを目的とするものである。
【課題を解決するための手段】
【０００７】
上記目的を解決する本発明の第１の透明部材は、太陽光の照射を受ける透明部材において、
屋外側の面および屋内側の面の両面に間隔をあけて複数設けられたものであって、近赤外線を遮蔽する能力が相対的に高い高遮蔽枡目部と、
上記間隔を覆うように設けられ、上記能力が相対的に低い低遮蔽枡目部とを有し、
上記高遮蔽枡目部および上記低遮蔽枡目部は、互いの１辺の少なくとも一部が重なり合った四角形状であり、それら１辺が水平線に対し傾いているものであることを特徴とする。
【０００８】
上記目的を解決する本発明の第２の透明部材は、太陽光の照射を受ける透明部材において、
屋外側の面および屋内側の面の両面に、間隔をあけて斜めに複数配列されたものであって、近赤外線を遮蔽する能力が相対的に高い高遮蔽枡目部と、
上記間隔を覆うように設けられ、上記能力が相対的に低い低遮蔽部とを有することを特徴とする。
【０００９】
本発明の透明部材は、ガラス製のものであってもアクリル製のもの等であってもよい。また、ここにいう高遮蔽枡目部は、プリントしたものであってもよいし、フィルムを貼り付けたものであってもよいし、塗膜を形成したもの等であってもよい。一方、本発明の第１の透明部材にいう上記低遮蔽枡目部、あるいは本発明の第２の透明部材にいう上記低遮蔽部は、透明部材がガラス製のものであれば、ガラスの地のままであってもよいし、上記高遮蔽枡目部と同じく、プリントしたものであってもよいし、フィルムを貼り付けたものであってもよいし、塗膜を形成したもの等であってもよい。さらに、屋外側の面に設けられた高遮蔽枡目部と、屋内側の面に設けられた高遮蔽枡目部とでは、対向する位置に設けられたズレていない関係にあってもよいし、垂直方向にズレた関係にあってもよいし、水平方向にズレた関係にあってもよいし、斜め方向にズレた関係にあってもよい。
【００１０】
本発明者らは鋭意研究を重ねた結果、太陽光の照射を受ける透明部材に入射した太陽光がその透明部材の屋内側の面を通過する通過点を、日の出から日没までにかけてプロットしていくと、透明部材の向く方位に応じてそのプロットしていった軌跡の傾きが変化するという結論を得た。また、夏場と冬場とでは、そのプロットしていった軌跡が離れているという結論も得た。さらに、透明部材の立地（緯度）によってもそのプロットしていった軌跡の傾きが変化するという結論も得た。
【００１１】
そこで、本発明の第１の透明部材では、上記１辺を水平線に対し傾かせることで、夏場における上記軌跡を覆うように上記高遮蔽枡目部を設けることができるとともに、冬場における上記軌跡を覆うように上記低遮蔽枡目部を設けることができ、透明部材の立地および方位に応じて、太陽光を、夏場は冷房負荷を軽減するまで十分に遮り、冬場は暖房負荷を軽減するまで十分に取り込める。
【００１２】
ここで、本発明の第１の透明部材において、上記高遮蔽枡目部と上記低遮蔽枡目部とで市松模様を構成しても良い。あるいは、上記高遮蔽枡目部を線状につなげたものを間隔をあけて複数設けるとともに、その間隔を覆うように上記低遮蔽枡目を線状につなげたものを設けてもよい。
【００１３】
また、本発明の第２の透明部材では、上記高遮蔽枡目部を間隔をあけて斜めに複数配列させることで、夏場における上記軌跡を覆うようにその高遮蔽枡目部を設けることができるとともに、冬場における上記軌跡を覆うように上記低遮蔽部を設けることができ、透明部材の立地および方位に応じて、太陽光を、夏場は冷房負荷を軽減するまで十分に遮り、冬場は暖房負荷を軽減するまで十分に取り込める。
【００１４】
ここで、本発明の第２の透明部材において、上記高遮蔽枡目部は、正方形に限らず長方形であってもよいし、三角形であってもよいし、さらには丸形であってもよく、形状は何ら限定されるものではない。
【００１５】
ここで、上記特許文献１に記載された窓ガラスでは、不透明なストライプを設けることから、室内から外の眺望が望めない。また、外から室内が見えず、例えば、ショールームの窓ガラスには採用することができない。そこで、内外の眺望を望むために、上記高遮蔽枡目部と上記低遮蔽枡目部をともに透明なものにしてもよい。
【００１６】
また、上記第１の透明部材において、上記高遮蔽枡目部および上記低遮蔽枡目部は、主成分が同じものであることが好ましく、
上記第２の透明部材において、上記高遮蔽枡目部および上記低遮蔽部は、主成分が同じものであることが好ましい。
【００１７】
ここにいう主成分とは、上記高遮蔽枡目部においてはその高遮蔽枡目部を構成する材料の全体量に対して配合割合が５０％以上のものをいう。例えば、上記高遮蔽枡目部が塗液を塗布して形成されたものであれば、塗布する塗液に対して５０重量％以上含まれているものが主成分になる。このような主成分を、上記高遮蔽枡目部と上記低遮蔽枡目部、あるいは上記高遮蔽枡目部と上記低遮蔽部とで共通にすることで、透明部材における、上記高遮蔽枡目部が設けられた部分の色合いと、上記低遮蔽枡目部が設けられた部分の色合い、あるいは上記低遮蔽部が設けられた部分の色合いとの違いが目立たなくなる。
【００１８】
ここで、上記高遮蔽枡目部は、近赤外線を３５％以上遮蔽するものであることが好ましく、さらには、紫外線を８５％以上遮蔽するものであることがより好ましい。また、上記高遮蔽枡目部、上記低遮蔽枡目部、および上記低遮蔽部は、可視光透過率が７０％以上の特性をもったものであることが好ましい。
【００１９】
また、上記高遮蔽枡目部は、上記主成分に近赤外線を遮蔽する近赤外線遮蔽成分が添加されたものであり、上記低遮蔽枡目部あるいは上記低遮蔽部は、上記主成分に上記近赤外線遮蔽成分が無添加のものであってもよいが、上記近赤外線遮蔽成分を添加されたものである場合には、添加された近赤外線遮蔽成分と、上記高遮蔽枡目部に添加された近赤外線遮蔽成分とは同じ成分であってもよいし、異なる成分であってもよい。添加された近赤外線遮蔽成分が同じである場合には、その近赤外線遮蔽成分が高遮蔽枡目部よりも多く添加されている。
【００２０】
さらに、上記第１の透明部材あるいは上記第２の透明部材において、上記高遮蔽枡目部が設けられた領域を取り囲む外周部が、その高遮蔽枡目部よりも上記能力が相対的に低いものであることがより好まい。
【００２１】
ここで、上記外周部は、上記能力が、上記低遮蔽枡目部あるいは上記低遮蔽部よりも高いものであってもよいしそれらと同等なものであってもよいが、それらよりも低いものであることが好ましい。
【００２２】
ここでは、この透明部材の周縁部の外側部分が、金属製の枠（サッシュ）に差し込まれて線支持される場合を考える。特に冬場の早朝には、透明部材は冷えきっている。太陽が昇るにつれて、透明部材の、枠に差し込まれた周縁部の外側部分よりも内側は、太陽光によって暖められ温度上昇するが、枠に差し込まれた周縁部の外側部分はさほど温度上昇しない。上記能力が高くなればなるほど熱吸収率も高くなる場合に、上記高遮蔽枡目部を、透明部材の、周縁部の内側部分に相当する領域まで設けておくと、枠に差し込まれた周縁部の外側部分と高遮蔽枡目部との間で大きな温度差が生じ、透明部材にヒビ割れが生じてしまう恐れがある。しかし、周縁部の内側部分に、熱吸収率がさほど高くない上記外周部を設けておくことで、周縁部の外側部分と内側部分との間で大きな温度差は生じず、透明部材のヒビ割れを防ぐことができる。
【発明の効果】
【００２３】
本発明の透明部材によれば、透明部材の立地および方位に応じて、太陽光を、夏場は冷房負荷を軽減するまで十分に遮り、冬場は暖房負荷を軽減するまで十分に取り込める。
【図面の簡単な説明】
【００２４】
【図１】本発明の透明部材の一実施形態である透明な四角形の窓ガラスを示す図である。
【図２】図２（ａ）は、図１に示す窓ガラスを垂直線に沿って断面したときの断面図であり、図２（ｂ）は、本発明を合わせガラスに適用した例を示す図であり、図２（ｃ）は、本発明をダブルスキン方式のガラス構造体に適用した例を示す図であり、図２（ｄ）は、本発明を薄いアクリル製の透明フィルムに適用した例を示す図である。
【図３】第２実施形態の透明な四角形の窓ガラスを示す図である。
【図４】図４（ａ）は、第３実施形態の窓ガラスの屋外側の面の一部分を示す図であり、図４（ｂ）は、第４実施形態の窓ガラスの屋外側の面の一部分を示す図である。
【図５】図５（ａ）は、太陽光が、窓ガラスに入射しその窓ガラスを通り抜ける様子について説明するための図であり、図５（ｂ）は、太陽光の、窓ガラスへの入射角と窓ガラスからの出射角を示す図である。
【図６】真西向きの窓ガラスに入射した太陽光がその窓ガラスの屋内側の面を通過する通過点を、日の出から日没までにかけてプロットしていった軌跡（チャート）を表す図である。
【図７】南西向きの窓ガラスに入射した太陽光がその窓ガラスの屋内側の面を通過する通過点を、日の出から日没までにかけてプロットしていった軌跡（チャート）を表す図である。
【図８】図８（ａ）は、図６（ｂ）に示すチャートを、月ごとに詳細に示したチャートであり、図８（ｂ）は、第５実施形態の窓ガラスの一部分を示す図である。
【図９】図８（ａ）に示すチャートに、図８（ｂ）に示す窓ガラスを重ねた図である。
【発明を実施するための形態】
【００２５】
以下図面を参照して本発明の実施の形態を説明する。
【００２６】
図１は、本発明の透明部材の一実施形態である透明な四角形の窓ガラスを示す図である。
【００２７】
図１には、透明な四角形の窓ガラス１の屋外側の面１ａが示されている。この図１に示す窓ガラス１の屋外側の面１ａには、透明な高遮蔽枡目部１２１が間隔をあけて複数設けられているとともに、その間隔を覆うように透明な低遮蔽枡目部１３１も設けられている。なお、高遮蔽枡目部１２１と低遮蔽枡目部１３１はともに透明なものであるが、図１では、両者の区別を明確にするため、高遮蔽枡目部１２１には細かなハッチングを施し、低遮蔽枡目部１３１には粗いハッチングを施している（図１以降の図においても同じ）。図１に示すように、窓ガラス１の屋外側の面１ａには、高遮蔽枡目部１２１と低遮蔽枡目部１３１によって市松模様が構成されている。なお、この窓ガラス１の屋内側の面にも、同様に、高遮蔽枡目部１２１と低遮蔽枡目部１３１によって市松模様が構成されている。
【００２８】
高遮蔽枡目部１２１と低遮蔽枡目部１３１の両者は、同形同大の長方形であって、幅がこの窓ガラス１の厚みｔに相当する長さの枡目であるが、０．７ｔ以上１．３ｔ以下であればよい。また、高遮蔽枡目部１２１と低遮蔽枡目部１３１は、互いの長手方向の１辺１２１１，１３１１が重なり合っており、それら１辺１２１１，１３１１は水平線に対しても垂直線に対しても好適な角度で傾いている。
【００２９】
また、図１に示す高遮蔽枡目部１２１も低遮蔽枡目部１３１も、窓ガラス１の屋外側の面１ａに長方形の透明なフィルムを貼り付けることによって形成されたものである。高遮蔽枡目部１２１に用いるフィルムおよび低遮蔽枡目部１３１に用いるフィルムはいずれも、透明なフィルム状の基材に、多価アルコール系溶媒を主成分とし、赤外線遮蔽剤、紫外線遮蔽剤、およびバインダ成分を配合した塗液を塗布したものを用いることができる。高遮蔽枡目部１２１用の塗液と低遮蔽枡目部１３１用の塗液とでは、主成分は共通にするものの、赤外線遮蔽剤の配合量が異なる。
【００３０】
高遮蔽枡目部１２１用の塗液と低遮蔽枡目部１３１用の塗液共通の主成分になる多価アルコール系溶媒は、分子中に２個以上の水酸基をもつアルコールであり、２個の水酸基をもつ２価アルコールであるグリコール、３個の水酸基をもつ３価アルコールであるグリセリンなどを用いることができる。４価以上のアルコールでも使用できるが、低沸点である２価アルコールのグリコールがより好ましい。グリコールとしては、エチレングリコール、プロピレングリコール、トリメチレングリコール、１，４−ブタンジオール、１，５−ペンタンジオール、１，６−ヘキサンジオール、１，７−ヘプタンジオールなどが挙げられ、その中のプロピレングリコールが最も好ましい。多価アルコールのほかに、水などの無機系溶媒、１価アルコール、エーテル、アミドなどの有機系溶媒から選ばれる少なくとも一種を配合することもできる。多価アルコール系溶媒の配合量は、５０〜９０重量％程度であればよく、６０〜９０重量％程度であることが好ましい。本実施形態の窓ガラス１では、上記２種類の塗液それぞれの主成分が同じであるため、窓ガラス１における、高遮蔽枡目部１２１が設けられた部分の色合いと、低遮蔽枡目部１３１が設けられた部分の色合いとの違いが目立たなくなる。また、高遮蔽枡目部１２１および低遮蔽枡目部１３１で熱吸収率が大きく異なることもないため、窓ガラス１が太陽光によって暖められても、高遮蔽枡目部１２１と低遮蔽枡目部１３１の間に大きな温度差が生じず、温度差によって窓ガラス１がヒビ割れすることがない。
【００３１】
赤外線遮蔽剤は、赤外線を反射する材料や赤外線を吸収する材料を含み、近赤外線のみを反射あるいは吸収する材料も含んだものである。赤外線遮蔽剤としても公知の材料を用いることができ、例えば、ペリレン系化合物、アニリン系化合物、シアニン系化合物等の有機化合物、アンチモンをドープした酸化スズ、インジウムをドープした酸化スズ、スズをドープした酸化インジウム、アルミニウムをドープした酸化亜鉛、雲母チタン（酸化チタン被覆マイカ）、酸化鉄被覆マイカ、塩基性炭酸鉛、オキシ塩化ビスマス、酸化セレン、酸化亜鉛、二酸化チタン、酸化ロジウム、酸化ルテニウムや銅、銀、鉄、マンガンの金属錯体などの無機化合物、アルミニウム、金、銀、銅、クロム、ニッケル、インジウム、パラジウム、スズなどの金属やそれらの合金を用いることができる。
【００３２】
紫外線遮蔽剤は、紫外線を反射する材料や紫外線を吸収する材料を含んだものである。この紫外線遮蔽剤としては公知の材料を用いることができ、例えば、ベンゾトリアゾール系化合物、ベンゾフェノン系化合物等の有機化合物、二酸化チタン、含水酸化チタン、水和酸化チタン、メタチタン酸、オルトチタン酸、水酸化チタン、酸化亜鉛、ケイ酸亜鉛、酸化セリウム等の無機化合物を用いることができる。ここで、二酸化チタン等のチタン化合物にはそれ自身が強い光触媒性能を有するため、その性能がバインダ成分の分解要因になる場合がある。この場合には、光触媒性能を弱めバインダ成分を分解し難くさせるため、その粒子表面にケイ素、アルミニウム、ジルコニウム等の酸化物、水和酸化物、水酸化物の少なくとも一種を被覆すればよい。
【００３３】
本実施形態においては、赤外線遮蔽剤の配合割合は、高遮蔽枡目部１２１用の塗液の方が低遮蔽枡目部１３１用の塗液よりも高い。したがって、近赤外線を遮蔽する能力は、高遮蔽枡目部１２１の方が低遮蔽枡目部１３１よりも高い。また、本実施形態では、紫外線遮蔽剤の配合割合も、高遮蔽枡目部１２１用の塗液の方が低遮蔽枡目部１３１用の塗液よりも高いが、同じにしてもよい。紫外線遮蔽剤と赤外線遮蔽剤の配合量は、例えば紫外線遮蔽剤および赤外線遮蔽剤を固形分に換算して塗液中に、高遮蔽枡目部１２１用の塗液の方が低遮蔽枡目部１３１用の塗液よりも高くなるようにして、５〜２０重量％配合させることが好ましい。また、高遮蔽枡目部１２１用の塗液における赤外線遮蔽剤の添加割合は、低遮蔽枡目部１３１用の塗液における赤外線遮蔽剤の添加割合の、２倍以上５倍以下であることが好ましい。
【００３４】
図１に示す高遮蔽枡目部１２１は、近赤外線を３５％以上遮蔽するものである。また、高遮蔽枡目部１２１および低遮蔽枡目部１３１はともに、紫外線を８５％以上遮蔽する一方で、可視光透過率は８０％以上である。
【００３５】
さらに、本実施形態では、高遮蔽枡目部１２１にしても低遮蔽枡目部１３１にしても、透明度が高い。紫外線遮蔽剤や赤外線遮蔽剤を固体としてそのまま用いる場合には、１〜１００ｎｍ程度の粒子径のものを用いることで、フィルム全体の透明度が向上する。こうすることで、窓ガラス１の屋外側の面１ａにおける、高遮蔽枡目部１２１が設けられた部分の色合いと、低遮蔽枡目部１３１が設けられた部分の色合いとの違いがより目立たなくなる。
【００３６】
バインダ成分としては、公知のバインダ成分を用いることができる。例えば、シリコーン樹脂、アルコキシシラン、アルコキシシランの部分加水分解縮合物、アルコキシシランの加水分解生成物、フッ素樹脂、ポリエチレン、ポリ塩化ビニル、酢酸ビニル樹脂、ポリスチレン、ポリプロピレン、アクリル樹脂、シリコンアクリル樹脂、メタクリル樹脂、ポリカーボネート、ポリアミド、ポリアセタール、尿素樹脂、フェノール樹脂、不飽和ポリエステル樹脂、ポリウレタン、アクリルウレタン樹脂、アルキド樹脂、エポキシ樹脂、メラミン樹脂、水ガラス、セメント、石膏などを適宜選択して用いることができる。ここで、フィルムの硬度を高めるため、シリコーン樹脂、アルコキシシラン、アルコキシシランの部分加水分解縮合物、アルコキシシランの加水分解生成物を用いることが好ましい。
【００３７】
シリコーン樹脂は、シロキサン結合の繰り返し（−Ｓｉ−Ｏ−）ｎを主鎖とし、側鎖としてアルキル基、アリール基などをもつ重合体であり、三次元網目構造を有するシリコーンが好ましく、エポキシ変性、ポリエステル変性、アルキド変性、アクリル変性などの変性シリコーンでも良い。アルコキシシランとしては、テトラアルコキシシラン、モノアルキルトリアルコキシシラン、ジアルキルジアルコキシシラン、トリアルキルモノアルコキシシランのモノマーを挙げることができ、そのアルコキシル基としてはメトキシル基、エトキシル基、プロポキシル基、ブトキシル基などの炭素が１〜８程度のアルコキシル基を用いることができ、アルキル基としてはメチル基、エチル基、プロピル基、ブチル基などの炭素が１〜８程度のアルキル基を用いることができる。具体的には、テトラメトキシシラン、テトラエトキシシラン、テトラプロポキシシラン、モノメチルトリメトキシシラン、モノエチルトリエトキシシラン、モノプロピルトリプロポキシシラン、ジメチルジメトキシシラン、ジエチルジエトキシシラン、ジプロピルジプロポキシシラン、トリメチルモノメトキシシラン、トリエチルモノエトキシシラン、トリプロピルモノプロポキシシランなどを用いることができる。
【００３８】
アルコキシシランの部分加水分解縮合物は、前記のアルコキシシランモノマーを部分的に加水分解・縮合した二量体あるいは三量体以上のオリゴマーであり、１分子中にケイ素原子を２〜９個程度含むものが好ましい。また、アルコキシシランの加水分解生成物はアルコキシシランを完全に近い程度まで加水分解縮合して粒子形状を形成したものであり、一般にオルガノシリカゾルと呼ばれるものを用いることができる。
【００３９】
バインダ成分の配合量も適宜設定することができ、例えばバインダ成分を固形分に換算して塗液中に５〜２０重量％程度配合させることが好ましい。
【００４０】
さらに、これまで説明した材料の他に、分散剤、増粘剤、粘度調整剤、硬化剤、架橋剤、レベリング剤、界面活性剤、顔料、充填剤、吸着剤、脱臭剤、抗菌剤、導電剤、帯電防止剤、電磁波遮蔽剤などの添加剤を適宜配合しても良い。
【００４１】
なお、高遮蔽枡目部１２１および低遮蔽枡目部１３１は、フィルムを貼り付けたものに限らず、プリントしたものであってもよいし、塗膜を形成したもの等であってもよい。
【００４２】
図２（ａ）は、図１に示す窓ガラスを垂直線に沿って断面したときの断面図である。
【００４３】
この図２（ａ）では、図の左側が屋外側になり、右側が屋内側になる（以下、図２において同じ）。図２（ａ）に示す窓ガラス１の屋外側の面１ａには、高遮蔽枡目部１２１と低遮蔽枡目部１３１が設けられている。また、図２（ａ）に示す窓ガラス１の屋内側の面１ｂにも同じく、高遮蔽枡目部１２１と低遮蔽枡目部１３１が設けられている。
【００４４】
図２（ａ）に示す屋外側の面１ａに設けられた高遮蔽枡目部１２１と、屋内側の面１ｂに設けられた高遮蔽枡目部１２１とでは、垂直方向（図１に示す垂直線に沿った方向であり図２では上下方向）にずれている。屋外側の面１ａの高遮蔽枡目部１２１と、屋内側の面１ｂにの高遮蔽枡目部１２１との垂直方向のズレ量は、この窓ガラスが設置される地域や方位等に応じて設計段階で調整されている。
【００４５】
図２（ｂ）は、本発明を合わせガラスに適用した例を示す図である。
【００４６】
以下の説明では、これまで説明した構成要素と同じ名称の構成要素については、これまで用いた符号と同じ符号を付して説明することがある。
【００４７】
図２（ｂ）に示す合わせガラス３は、３枚のガラス３１〜３３によて構成されたものであり、屋外側のガラス３１と屋内側のガラス３３に挟み込まれた中央のガラス３２の両面３２ａ，３２ｂそれぞれに、高遮蔽枡目部１２１と低遮蔽枡目部１３１が設けられている。図２（ｂ）に示す中央のガラス３２の、屋外側の面３２ａに設けられた高遮蔽枡目部１２１と、屋内側の面３２ｂに設けられた高遮蔽枡目部１２１は、対向する位置に設けられたズレていない関係にある。
【００４８】
なお、屋外側のガラス３１の屋内側の面３１ｂに高遮蔽枡目部１２１と低遮蔽枡目部１３１を設けるとともに、屋内側のガラス３３の屋外側の面３３ａにも高遮蔽枡目部１２１と低遮蔽枡目部１３１を設け、これらのガラス３１，３３によって、両面３２ａ，３２ｂに高遮蔽枡目部１２１も低遮蔽枡目部１３１も設けられていないガラスを挟み込んでもよい。また、屋外側のガラス３１と中央のガラス３２それぞれの屋内側の面３１ｂ，３２ｂに、高遮蔽枡目部１２１と低遮蔽枡目部１３１を設けてもよく、あるいは、屋内側のガラス３３と中央のガラス３２それぞれの屋外側の面３３ａ，３２ａに、高遮蔽枡目部１２１と低遮蔽枡目部１３１を設けてもよい。
【００４９】
図２（ｃ）は、本発明をダブルスキン方式のガラス構造体に適用した例を示す図である。
【００５０】
図２（ｃ）に示す合わせガラス構造体４は、屋外側のガラス４１と屋内側のガラス４２の間に空気層４３を有する。屋外側のガラス４１は、図２（ａ）に示す窓ガラス１と同じものであり、両面４１ａ，４１ｂそれぞれに、高遮蔽枡目部１２１と低遮蔽枡目部１３１が設けられている。一方、屋内側のガラス４２の両面４２ａ，４２ｂには、高遮蔽枡目部１２１も低遮蔽枡目部１３１も設けられていない。
【００５１】
なお、図２（ｃ）に示す構成とは反対に、屋内側のガラス４２を図２（ａ）に示す窓ガラス１にし、屋外側のガラス４１を、高遮蔽枡目部１２１も低遮蔽枡目部１３１も設けられていないガラスにしてもよい。
【００５２】
また、一般的なダブルスキン方式における屋外側のガラス４１と屋内側のガラス４２の間隔は４５０ｍｍ〜６００ｍｍ程度であるが、この間隔以外にも本発明を適用することができる。例えば、屋外側のガラス４１と屋内側のガラス４２の間隔が１０ｍｍ前後のいわゆる複層ガラス（ペアガラス）にも、本発明を適用することができる。
【００５３】
図２（ｄ）は、本発明を薄いアクリル製の透明フィルムに適用した例を示す図である。
【００５４】
図２（ｄ）に示すアクリル製の透明フィルム５は、窓ガラス５０の屋外側の面５０ａに貼り付けられたものである。この透明フィルム５の厚さは、窓ガラス５０の厚さよりも遙かに薄いものである。図２（ｄ）に示す透明フィルム５の両面５ａ，５ｂそれぞれには、図１に示す高遮蔽枡目部１２１と低遮蔽枡目部１３１が設けられており、市松模様が構成されている。これらの高遮蔽枡目部１２１と低遮蔽枡目部１３１は、透明フィルム５の表面にプリントされたものである。
【００５５】
なお、図２（ｄ）に示す透明フィルム５を、窓ガラス５０の屋内側の面５０ｂに貼り付けてもよい。
【００５６】
次に、本発明の透明部材の第２実施形態である窓ガラスについて説明する。
【００５７】
図３は、第２実施形態の透明な四角形の窓ガラスを示す図である。
【００５８】
図３（ａ）に示す透明な四角形の窓ガラス６は、周縁がサッシュ２（図３（ｂ）参照）に支持されるものであり、この図３（ａ）には、窓ガラス６の屋外側の面６ａが示されている。窓ガラス６の屋外側の面６ａには、そのサッシュ２に沿った透明な周縁部６１が設けられている。また、その周縁部６１の内側には、高遮蔽枡目部６２１と低遮蔽枡目部６３１が設けられている。周縁部６１は、窓ガラス６の屋外側の面６ａに塗液を塗布することによって形成された透明な枠状の領域であるが、図３では、周縁部６１に、低遮蔽枡目部１３に施したハッチングよりもさらに粗いハッチングを施している。
【００５９】
また、図３（ａ）に示す高遮蔽枡目部６２１も低遮蔽枡目部６３１も、窓ガラス１の屋外側の面６ａに塗液を塗布することによって形成された透明な領域である。高遮蔽枡目部６２１と低遮蔽枡目部６３１は、互いの１辺６２１１，６３１１の少なくとも一部が重なり合った四角形状であり、それら１辺６２１１，６３１１が水平線に対しても垂直線に対しても傾いている。
【００６０】
周縁部６１用の塗液、高遮蔽枡目部６２１用の塗液、および低遮蔽枡目部６３１用の塗液の３種類の塗液は、主成分は共通にするものの、赤外線遮蔽剤の配合量が異なる。すなわち、赤外線遮蔽剤の配合割合は、高遮蔽枡目部６２１用の塗液が最も高く、周縁部６１用の塗液が最も低い。したがって、近赤外線を遮蔽する能力は、高遮蔽枡目部６２１が最も高く、周縁部６１が最も低く、低遮蔽枡目部６３１は高遮蔽枡目部６２１よりも近赤外線を遮蔽する能力が低い。なお、赤外線遮蔽剤の配合割合の関係は、高遮蔽枡目部６２１用の塗液＞低遮蔽枡目部６３１用の塗液＝周縁部６１用の塗液であってもよいし、高遮蔽枡目部６２１用の塗液＞周縁部６１用の塗液＞低遮蔽枡目部６３１用の塗液であってもよい。また、この第２実施形態では、紫外線遮蔽剤の配合割合も、高遮蔽枡目部６２１用の塗液が最も高く、周縁部６１用の塗液が最も低い。なお、紫外線遮蔽剤については、上記３種類の塗液で配合割合を同じにしてもよい。
【００６１】
図３（ｂ）は、同図（ａ）に示す窓ガラス６の周縁がサッシュ２に支持された様子を示す断面図である。図３（ｂ）に示すサッシュ２は、窓ガラス６を線支持する金属製の枠である。なお、サッシュ２は樹脂製のものであってもよい。また、図３（ｂ）に示すように、第２実施形態の窓ガラス６では、屋外側の面６ａと屋内側の面６ｂの両面それぞれに、高遮蔽枡目部６２１と低遮蔽枡目部６３１が設けられており、屋外側の面６ａに設けられた高遮蔽枡目部６２１と、屋内側の面６ｂに設けられた高遮蔽枡目部６２１は、対向する位置に設けられたズレていない関係にある。
【００６２】
図３（ｂ）に示すように、窓ガラス６の、周縁部６１の外側部分６１１は、サッシュ２に差し込まれ、シリコーンコーキングもしくはガスケット２１等を介して支持されている。特に冬場の早朝には、窓ガラス６は冷えきっている。太陽が昇るにつれて、窓ガラス６の、サッシュ２に差し込まれた周縁部６１の外側部分６１１よりも内側（６１２，６２１，６３１）は、太陽光によって暖められ温度上昇するが、サッシュ２に差し込まれた外側部分６１１はさほど温度上昇しない。近赤外線を遮蔽する能力が高くなればなるほど熱吸収率も高くなる場合に、高遮蔽枡目部６２１を、窓ガラス６の、周縁部６１の内側部分６１２に相当する領域まで設けておくと、サッシュ２に差し込まれた外側部分６１１と高遮蔽枡目部６２１との間で大きな温度差が生じ、窓ガラス６にヒビ割れが生じてしまう恐れがある。しかし、熱吸収率がさほど高くない周縁部６１を設けておくことで、周縁部６１の外側部分６１１と内側部分６１２との間で大きな温度差は生じず、窓ガラス６のヒビ割れを防ぐことができる。なお、サッシュ２に差し込まれる外側部分６１１に塗液を塗布することは、必ずしも必要ではない。周縁部６１の内側部分６１２は、高遮蔽枡目部６２１が設けられた領域を取り囲むものであり、本発明にいう外周部の一例に相当する。
【００６３】
なお、ガラスを線支持するサッシュ２に代えて、ガラスを点支持する支持体を用い、いわゆるサシュレス構造にしてもよい。ガラスを点支持する支持体としては、ＤＰＧ構法（Ｄｏｔ  Ｐｏｉｎｔｅｄ  Ｇｌａｚｉｎｇ）を採用した支持体があげられる。ガラスを点支持する支持体を用いた場合には、周縁部６１を省略することができる。
【００６４】
次に、本発明の透明部材の第３実施形態および第４実施形態である窓ガラスについて説明する。
【００６５】
図４（ａ）は、第３実施形態の窓ガラスの屋外側の面の一部分を示す図である。
【００６６】
図４（ａ）に示す窓ガラス７は、屋外側の面７ａに、間隔をあけて斜めに複数配列された高遮蔽枡目部７２１と、その間隔を覆うように設けられた低遮蔽部７３１を有する。図４（ａ）に示す高遮蔽枡目部７２１は、窓ガラス７の屋外側の面７ａに透明なフィルムを貼り付けることによって形成されたものである。この高遮蔽枡目部７２１は、近赤外線を遮蔽する能力が相対的に高く、この窓ガラス７の厚みｔに相当する直径を有する円形の枡目である。また、高遮蔽枡目部７２１は、斜めに延びる列の中では互いに接している。一方、低遮蔽部７２２は、窓ガラス７における屋外側の面７ａのガラスの地のままの領域である。すなわち、フィルムを貼り付けたものでもなければ、プリントしたものでもなく、塗膜を形成したものでもない。この低遮蔽部７２２は、近赤外線を遮蔽する能力が相対的に低い領域である。
【００６７】
なお、図４（ａ）に示す窓ガラス７の屋内側の面にも、屋外側の面７ａと同様に、高遮蔽枡目部７２１と低遮蔽部７３１が設けられている。
【００６８】
図４（ｂ）は、第４実施形態の窓ガラスの屋外側の面の一部分を示す図である。
【００６９】
図４（ｂ）に示す窓ガラス８は、図１に示す窓ガラス１と同じように、屋外側の面８ａに、高遮蔽枡目部８２１が間隔をあけて複数設けられているとともに、その間隔を覆うように低遮蔽枡目部８３１も設けられている。また、図４（ｂ）に示す高遮蔽枡目部８２１も低遮蔽枡目部８３１も、互いの長手方向の１辺８２１１，８３１１が重なり合っており、それら１辺８２１１，８３１１は水平線に対して傾いている。しかしながら、それら１辺８２１１，８３１１は垂直線に対しては傾いておらず、図４（ｂ）に示す高遮蔽枡目部８２１や低遮蔽枡目部８３１は、長手方向に複数つながった垂直線上に延びる線状のものである。また、図４（ｂ）に示す低遮蔽枡目部８３１は、窓ガラス８における屋外側の面８ａのガラスの地のままの枡目である。
【００７０】
なお、図４（ｂ）に示す窓ガラス８の屋内側の面にも、屋外側の面８ａと同様に、高遮蔽枡目部８２１と低遮蔽枡目部８３１が設けられている。
【００７１】
続いて、窓ガラスに入射した太陽光の進路について説明する。
【００７２】
図５（ａ）は、太陽光が、窓ガラスに入射しその窓ガラスを通り抜ける様子について説明するための図である。
【００７３】
図５（ａ）には、厚さがｔの窓ガラスＧの一部が示されている。ここに示された窓ガラスＧの一部は、その窓ガラスＧの厚さｔを１辺とする正方形の枡目ｍを、垂直方向および水平方向にそれぞれ２つずつ並べ、１辺が２ｔの長さになる正方形Ｍの領域に相当する部分である。この図５（ａ）では、窓ガラスＧの、屋外側の面Ｇ１は紙面左奧に示されており、屋内側の面Ｇ２は紙面右手前に示されている。
【００７４】
図５（ａ）には、屋外側の面Ｇ１における、正方形Ｍの中心Ａに入射した太陽光Ｌの進路を太い矢印で示している。窓ガラスＧに入射した太陽光Ｌは屈折し、さらにその窓ガラスＧを通り抜ける際にもまた屈折する。
【００７５】
図５（ｂ）は、太陽光の、窓ガラスへの入射角と窓ガラスからの出射角を示す図である。
【００７６】
この図５（ｂ）には、太陽光Ｌが、屋外側の面Ｇ１における、正方形の中心Ａに入射し、屋内側の面Ｇ２における通過点Ｂから出射した様子が示されている。また、図５（ｂ）には、太陽光Ｌの、その窓ガラスＧへの入射角θ１、窓ガラスＧへ入射した太陽光Ｌの、その窓ガラスＧからの出射角θ２、および窓ガラスＧの屈折角θ３も示されている。入射角θ１がある程度大きくなると（およそ６０°を越えると）、太陽光Ｌの、窓ガラスＧの屋外側の面Ｇ１によって反射される量は二次曲線的に急激に増大する。さらに、入射角θ１が大きくなると、窓ガラスＧに入射した太陽光Ｌの屈折角も増大する傾向にある。
【００７７】
以下、図５（ａ）に示す正方形Ｍを単位領域として説明する。
【００７８】
図６は、真西向きの窓ガラスに入射した太陽光がその窓ガラスの屋内側の面を通過する通過点を、日の出から日没までにかけてプロットしていった軌跡（チャート）を表す図であり、図７は、南西向きの窓ガラスに入射した太陽光がその窓ガラスの屋内側の面を通過する通過点を、日の出から日没までにかけてプロットしていった軌跡（チャート）を表す図である。
【００７９】
図６および図７の両図（ａ）は、北緯３０度における真西向きの窓ガラスの例を示す図であり、両図（ｂ）は、北緯３６度における真西向きの窓ガラスの例を示す図であり、両図（ｃ）は、北緯４２度における真西向きの窓ガラスの例を示す図である。
【００８０】
図６および図７における（ａ）〜（ｃ）の各図には、３本のチャート（軌跡）が示されている。両図のそれぞれ（ａ）に示すように、左側のチャートは、夏至の日の一日における結果を示すものであり、右側のチャートは、冬至の日の一日における結果を示すものである。真ん中のチャートは、春分および秋分の日の一日における結果を示すものである。また、両図における（ａ）〜（ｃ）の各図には、両図のそれぞれ（ａ）に示すように、図５（ａ）に示す正方形Ｍと同じ正方形Ｍが単位領域として示されている。両図における（ａ）〜（ｃ）の各図に示す正方形Ｍは、屋内側の面Ｇ２における正方形である。すなわち、両図における（ａ）〜（ｃ）の各図に示すチャートは、図５（ａ）に示す屋外側の面Ｇ１における、正方形Ｍの中心Ａに入射した太陽光Ｌの、屋内側の面Ｇ２における通過点Ｂを時系列で表した結果である。両図のそれぞれ（ａ）に示すように、各チャートの上端は、日の出および日没時における太陽光Ｌの、屋内側の面Ｇ２における通過点である。また、各チャートの下端側は、昼間における太陽光Ｌの、屋内側の面Ｇ２における通過点を示すものである。さらに、両図における（ａ）〜（ｃ）の各図に示すチャートの太さは、窓ガラスを通過した太陽光の日射の強さを示す（以降の図においても同じ。）。この日射の強さは、太陽に完全に正対する外壁面における強さを基準値（１．０）として、その基準値に対する比較値で表したものである（両図のそれぞれ（ａ）に示す「日射の強さ」を参照）。両図における（ａ）〜（ｃ）の各図に示す正方形の中心点（図５（ａ）に示す屋外側の面Ｇ１における、正方形Ｍの中心Ａに相当する点）から離れるほど、太陽光の日射の強さは弱くなる。
【００８１】
本発明者らは、鋭意研究を重ねた結果、図５（ａ）に示す窓ガラスＧに入射した太陽光Ｌがその窓ガラスＧの屋内側の面Ｇ２を通過する通過点Ｂを、日の出から日没までにかけてプロットしていくと、窓ガラスＧの向く方位に応じてそのプロットしていった軌跡（チャート）の傾きが変化するという結論を得た（両図における（ａ）〜（ｃ）の各図参照）。また、夏場と冬場とでは、そのプロットしていった軌跡（チャート）が離れているという結論も得た。さらに、窓ガラスの立地（緯度）によってもそのプロットしていった軌跡（チャート）の傾きが変化するという結論も得た。
【００８２】
そこで、本発明者らは、上記３つの結論から、これまで説明した高遮蔽枡目部１２１，６２１，８２１と低遮蔽枡目部１３１，６３１，８３１の配置、あるいは高遮蔽枡目部７２１と低遮蔽部７３１の配置、すなわち、高遮蔽枡目部１２１，６２１，８２１および低遮蔽枡目部１３１，６３１，８３１における、互いに少なくとも一部が重なり合った１辺が、水平線に対して傾いた配置、あるいは高遮蔽枡目部７２１が間隔をあけて斜めに複数配列された配置を採用している。
【００８３】
続いて、本発明の第５実施形態について説明する。
【００８４】
図８（ａ）は、図６（ｂ）に示すチャートを、月ごとに詳細に示したチャートを表す図であり、図８（ｂ）は、第５実施形態の窓ガラスの一部分を示す図である。
【００８５】
図８（ａ）には、太陽光Ｌの入射点を表す、図３（ａ）に示す屋外側の面Ｇ１における、正方形Ｍの中心Ａが示されている。
【００８６】
図８（ｂ）に一部を示す窓ガラス９には、屋内側の面９ｂと不図示の屋外側の面の両面それぞれに、高遮蔽枡目部９２１と低遮蔽枡目部９３１とで市松模様が構成されている。屋内側の面９ｂに設けられた高遮蔽枡目部９２１と、屋外側の面に設けられた高遮蔽枡目部９２１は、対向する位置に設けられたズレていない関係にある。図８（ｂ）におけるクロスハッチングは、両面それぞれに設けられた高遮蔽枡目部９２１を一面に重ねて表示したことを表す（図９においても同じ）。また、近赤外線を遮蔽する能力が、高遮蔽枡目部９２１では相対的に高く、低遮蔽枡目部９３１では相対的に低い。この低遮蔽枡目部９３１は、窓ガラス９のガラスの地のままの枡目である。
【００８７】
まず、窓ガラス９に入射しようとする太陽光は、屋外側の面の市松模様を構成する高遮蔽枡目部９２１によって遮蔽され、低遮蔽枡目部９３２に照射された太陽光のうちの一部が窓ガラス９を通過してくる。この市松模様を構成する高遮蔽枡目部９２１と低遮蔽枡目部９３２は、それぞれの長手方向の１辺９２１１，９３１１が重なり合っており、それら１辺９２１１，９３１１が水平線に対しても垂直線に対しても傾いている。これらの長手方向の１辺９２１１，９３１１は、この窓ガラスの厚さｔよりも長く、１．５ｔ以上の長さであることが好ましい。一方、図８（ｂ）に示す、高遮蔽枡目部９２１と低遮蔽枡目部９３１それぞれの、短手方向の１辺９２１２，９３１２は、この窓ガラス９の厚さｔに相当する長さであるが、０．７ｔ以上１．３ｔ以下であればよい。
【００８８】
図９は、図８（ａ）に示すチャートに、図８（ｂ）に示す窓ガラスを重ねた図である。
【００８９】
この図９に示すように、高遮蔽枡目部９２１の配置は、夏場の一日における太陽の軌跡のうち、日射の強さが強い部分を覆うように設けられている。一方、低遮蔽枡目部９３１は、冬場の一日における太陽の軌跡のうち、日射の強さが強い部分を覆うように設けられている。屋内側の面９ｂの、高遮蔽枡目部９２１と低遮蔽枡目部９３１とで構成された市松模様と、屋外側の面の、高遮蔽枡目部９２１と低遮蔽枡目部９３１とで構成された市松模様における垂直方向のずれ量を調整しておくことで、窓ガラス９のどの箇所においても、高遮蔽枡目部９２１によって夏場の日射しの強い太陽光を遮蔽することができ、夏場の冷房負荷が軽減され、省エネルギの観点から見て非常に好ましい。また、こうすることで、冬場に日射が相対的に強い太陽光は、低遮蔽枡目部９３１によって多少は遮られるものの、かなりの量を室内に取り込むことができ、屋内が太陽光によって暖められて暖房負荷が軽減され、省エネルギの観点から見てこの点でも非常に好ましい。
【００９０】
さらに、窓ガラス９の立地（緯度）とその窓ガラス９の向く方位に応じて、高遮蔽枡目部９２１と低遮蔽枡目部９３１とで構成された市松模様の傾きの角度を調整することによって、太陽光を、夏場は冷房負荷を軽減するまで十分に遮り、冬場は暖房負荷を軽減するまで十分に取り込める。
【符号の説明】
【００９１】
１，６，７，８，９    窓ガラス
１ａ    屋外側の面
１ｂ，９ｂ    屋内側の面裏面
１２１，６２１，７２１，８２１，９２１    高遮蔽枡目部
１３１，６３１，８３１，９３１    低遮蔽枡目部
７３１    低遮蔽部
１２１１，１３１１    長手方向の１辺
９１    周縁部
【図１】
2010222891.tif 000003
【図２】
2010222891.tif 000004
【図３】
2010222891.tif 000005
【図４】
2010222891.tif 000006
【図５】
2010222891.tif 000007
【図６】
2010222891.tif 000008
【図７】
2010222891.tif 000009
【図８】
2010222891.tif 000010
【図９】
2010222891.tif 000011